(57)【要約】【課題】  洗浄水の噴射中において濯ぎノズルから洗浄水が浸入するのを簡易な構成で防止することができる食器洗浄機を提供する【解決手段】  この食器洗浄機においては、洗浄ポンプの運転により洗浄ノズルから洗浄水が噴射されて食器類の洗浄が行われるが、この洗浄ポンプの運転Ｗ中には、濯ぎポンプの第１の運転Ｒ１が行われて濯ぎノズルに濯ぎ水が供給される。この濯ぎ水の供給により、従来のように逆止弁を設けなくても、洗浄水の噴射中において濯ぎノズルから洗浄水が浸入するのを防止することができる。従って、食器類の濯ぎを行うための濯ぎポンプの第２の運転Ｒ２の際には、洗剤成分や汚れを殆ど含まない濯ぎ水が最初から噴射されることになるため、効率良く食器類の濯ぎを行うことが可能になる。【選択図】  図２
2005040439.tif 000002
【特許請求の範囲】
【請求項１】
食器類が収容された洗浄室内に洗浄ノズルから洗浄水を噴射させて前記食器類の洗浄を行った後、前記洗浄室内に濯ぎノズルから濯ぎ水を噴射させて前記食器類の濯ぎを行う食器洗浄機において、
前記洗浄ノズルに洗浄水を供給する洗浄ポンプと、
前記濯ぎノズルに濯ぎ水を供給する濯ぎポンプと、
前記濯ぎポンプに対して、前記食器類の洗浄を行うための前記洗浄ポンプの運転中に第１の運転をさせた後、前記食器類の濯ぎを行うための第２の運転をさせる制御部とを備えることを特徴とする食器洗浄機。
【請求項２】
前記制御部は、前記洗浄ポンプの運転の終了時前に前記第１の運転を開始させ、前記洗浄ポンプの運転の終了時以降に前記第１の運転を終了させることを特徴とする請求項１記載の食器洗浄機。
【請求項３】
前記制御部は、前記洗浄ポンプの運転の開始と同時に前記第１の運転を開始させ、前記洗浄ポンプの運転の終了と同時に前記第１の運転を終了させることを特徴とする請求項１又は２記載の食器洗浄機。
【請求項４】
前記制御部は、前記洗浄ポンプの運転の終了時前に前記第１の運転を開始させて、当該第１の運転から前記第２の運転へと連続的に移行させることを特徴とする請求項１記載の食器洗浄機。
【請求項５】
前記制御部は、間欠的に前記第１の運転をさせることを特徴とする請求項１〜４のいずれか一項記載の食器洗浄機。
【請求項６】
前記第１の運転における前記濯ぎポンプの吐出圧力は、前記第２の運転における前記濯ぎポンプの吐出圧力に比べ低いことを特徴とする請求項１〜５のいずれか一項記載の食器洗浄機。
【発明の詳細な説明】
【技術分野】
【０００１】
本発明は、皿や茶碗等の食器類の洗浄及び濯ぎを行う食器洗浄機に関する。
【背景技術】
【０００２】
従来の食器洗浄機として、例えば、特許文献１に記載されたものがある。この特許文献１記載の食器洗浄機は、主洗浄水（すなわち、洗浄水）を噴射する主洗浄水噴射体と、仕上げ洗浄水（すなわち、濯ぎ水）を噴射する仕上げ洗浄水噴射体とを備え、各噴射体は中空支柱により支持されている。この中空支柱内の流路には、当該流路と仕上げ洗浄水噴射体内の流路とを連通する流出口を開閉させるボール弁が内蔵されている。このボール弁は、主洗浄水の噴射中には、流出口を閉鎖させて主洗浄水が中空支柱内に逆流するのを防止し、主洗浄水の噴射終了後には、流出口を開放させて仕上げ洗浄水を仕上げ洗浄水噴射体内へ流通させるためのものである。これにより、仕上げ洗浄水の噴射においては、洗剤成分や汚れを殆ど含まない仕上げ洗浄水を当初から噴射させることができ、食器類の濯ぎ効率を向上させることができる。
【特許文献１】実開昭５５−５８３１号公報
【発明の開示】
【発明が解決しようとする課題】
【０００３】
しかしながら、上述した食器洗浄機にあっては、逆止弁として機能するボール弁を用いているため構造が複雑化してしまう。
【０００４】
そこで、本発明は、このような事情に鑑みてなされたものであり、洗浄水の噴射中において濯ぎノズルから洗浄水が浸入するのを簡易な構成で防止することができる食器洗浄機を提供することを目的とする。
【課題を解決するための手段】
【０００５】
上記目的を達成するために、本発明に係る食器洗浄機は、食器類が収容された洗浄室内に洗浄ノズルから洗浄水を噴射させて食器類の洗浄を行った後、洗浄室内に濯ぎノズルから濯ぎ水を噴射させて食器類の濯ぎを行う食器洗浄機において、洗浄ノズルに洗浄水を供給する洗浄ポンプと、濯ぎノズルに濯ぎ水を供給する濯ぎポンプと、濯ぎポンプに対して、食器類の洗浄を行うための洗浄ポンプの運転中に第１の運転をさせた後、食器類の濯ぎを行うための第２の運転をさせる制御部とを備えることを特徴とする。
【０００６】
この食器洗浄機においては、洗浄ポンプの運転により洗浄ノズルから洗浄水が噴射されて食器類の洗浄が行われるが、この洗浄ポンプの運転中には、濯ぎポンプの第１の運転が行われて濯ぎノズルに濯ぎ水が供給される。この濯ぎ水の供給により、従来のように逆止弁を設けなくても、洗浄水の噴射中において濯ぎノズルから洗浄水が浸入するのを防止することができる。従って、食器類の濯ぎを行うための濯ぎポンプの第２の運転の際には、洗剤成分や汚れを殆ど含まない濯ぎ水が最初から噴射されることになるため、効率良く食器類の濯ぎを行うことが可能になる。
【０００７】
また、制御部は、洗浄ポンプの運転の終了時前に第１の運転を開始させ、洗浄ポンプの運転の終了時以降に第１の運転を終了させることが好ましい。高温の濯ぎ水によって食器類の濯ぎと同時に食器類の加熱殺菌を行う場合、洗浄ポンプの運転の終了時以降に濯ぎポンプの第１の運転を終了させることで、濯ぎポンプの第２の運転前における食器類の予備加熱を効果的に実施することができる。従って、第２の運転時における食器類の殺菌効果の向上を図ることができる。
【０００８】
また、制御部は、洗浄ポンプの運転の開始と同時に第１の運転を開始させ、洗浄ポンプの運転の終了と同時に第１の運転を終了させることが好ましい。このように洗浄ポンプの運転と濯ぎポンプの第１の運転とを同期させることで、濯ぎノズルから濯ぎ水用の配管内等への洗浄水の浸入を確実に防止することができる。更に、制御部における制御の容易化を図ることができる。
【０００９】
また、制御部は、洗浄ポンプの運転の終了時前に第１の運転を開始させて、当該第１の運転から第２の運転へと連続的に移行させることが好ましい。これにより、濯ぎポンプの始動・停止回数（以下、「発停回数」という）が減少するため、濯ぎポンプの耐久性を向上させることができる。しかも、濯ぎポンプの始動に必要な起動電流が減少するため、食器洗浄機のランニングコストの低減を図ることができる。
【００１０】
また、制御部は、間欠的に第１の運転をさせることが好ましい。これにより、濯ぎノズルから濯ぎ水用の配管内等への洗浄水の浸入を防止しつつ、濯ぎポンプのトータルの運転時間を減少させて節水や電力消費量の低減を図ることができる。
【００１１】
また、第１の運転における濯ぎポンプの吐出圧力は、第２の運転における濯ぎポンプの吐出圧力に比べ低いことが好ましい。このように第１の運転における濯ぎポンプの吐出圧力を低くしても、濯ぎノズルからの洗浄水の浸入を防止することができる。そればかりか、濯ぎノズルからの濯ぎ水の噴射が原因となって食器類の洗浄効果が低下するのを防止することができる。
【発明の効果】
【００１２】
本発明によれば、洗浄水の噴射中において濯ぎノズルから洗浄水が浸入するのを簡易な構成で防止することができる。
【発明を実施するための最良の形態】
【００１３】
以下、本発明に係る食器洗浄機の好適な実施形態について、図面を参照して詳細に説明する。
【実施例１】
【００１４】
図１に示すように、食器洗浄機１は、上下に仕切られたステンレス製の本体ケース２を有している。この本体ケース２の下部には機械室３が形成され、この機械室３内には、食器洗浄機１の動作全般を制御するマイクロコンピュータ（制御部）４が内蔵された電装ボックス６等が収容されている。一方、本体ケース２の上部には、洗浄室７が形成されると共に、この洗浄室７の開閉を行うために上下動するドア（図示せず）が取り付けられている。
【００１５】
この洗浄室７内には、ラックレール(図示せず)が着脱自在に配置されており、このラックレール上に、飲食後の皿や茶碗等の食器類Ｐが並べられた格子状の食器ラック８が載置される。更に、洗浄室７内の上部には、放射状に延びる３本のアームからなる上側洗浄ノズル９と、一直線状に延びる２本のアームからなる上側濯ぎノズル１１とが同一軸線上において回転自在に配置されている。同様に、洗浄室７内の下部には、下側洗浄ノズル１２と下側濯ぎノズル１３とが同一軸線上において回転自在に配置されている。
【００１６】
このような構成を有する洗浄室７の底面７ａには、第１のフィルタ１４が着脱自在に配置されており、この第１のフィルタ１４の下方には、洗浄水を貯留するための洗浄水タンク１５が形成されている。この洗浄水タンク１５内には、温水である洗浄水を所定温度に維持させるために洗浄水を加熱する洗浄水ヒータ１６と、この洗浄水の温度を検知するための洗浄水温センサ１７とが設置されている。
【００１７】
更に、洗浄水タンク１５の底面１５ａには、第１のフィルタ１４より目の細かい第２のフィルタ１８が着脱自在に配置されており、この第２のフィルタ１８の下方には、底面１５ａの一部が落ち込むようにして落込部１９が形成されている。この落込部１９の底面１９ａには排水管２０が接続されており、この排水管２０には、第２のフィルタ１８の筒状部１８ａを貫通して上端部が洗浄水タンク１５内に位置するオーバーフロー管２１の下端部が嵌め込まれている。これにより、余剰な洗浄水は、オーバーフロー管２１の上端部に形成された流入孔から管内に流れ込んで、排水管２０を介して外部に排出されるため、洗浄水タンク１５内の洗浄水が一定水位に保たれる。
【００１８】
この洗浄水タンク１５の落込部１９には、洗浄水吸込管２２を介して洗浄ポンプ２３が接続されている。この洗浄ポンプ２３の吐出口には洗浄水吐出管２４が接続され、この洗浄水吐出管２４は、第１の洗浄水吐出管２５と第２の洗浄水吐出管２６とに分岐して、第１の洗浄水吐出管２５は上側洗浄ノズル９に接続され、第２の洗浄水吐出管２６は下側洗浄ノズル１２に接続されている。このように、洗浄水吸込管２２、洗浄ポンプ２３、洗浄水吐出管２４，２５，２６及び洗浄ノズル９，１２により洗浄水供給路Ａが形成される。
【００１９】
また、機械室３内には、外部の給湯器（図示せず）から給湯管２７を介して濯ぎ水が供給される濯ぎ水タンク２８が配置されている。この濯ぎ水タンク２８内には、温水である濯ぎ水を所定温度に維持させるために濯ぎ水を加熱する濯ぎ水ヒータ２９と、この濯ぎ水の温度を検知するための濯ぎ水温センサ３１とが設置されている。更に、濯ぎ水タンク２８内には、余剰な濯ぎ水を外部に排出して一定水位に保つためのオーバーフロー管３２が設置されており、その上端部から管内に流入した濯ぎ水は、排水管２０を介して外部に排出される。
【００２０】
この濯ぎ水タンク２８には、濯ぎ水吸込管３３を介して濯ぎポンプ３４が接続されている。この濯ぎポンプ３４の吐出口には濯ぎ水吐出管３６が接続され、この濯ぎ水吐出管３６は、第１の濯ぎ水吐出管３７と第２の濯ぎ水吐出管３８とに分岐して、第１の濯ぎ水吐出管３７は上側濯ぎノズル１１に接続され、第２の濯ぎ水吐出管３８は下側濯ぎノズル１３に接続されている。このように、濯ぎ水吸込管３３、濯ぎポンプ３４、濯ぎ水吐出管３６，３７，３８及び濯ぎノズル１１，１３により濯ぎ水供給路Ｂが形成される。
【００２１】
更に、機械室３内には、洗浄水タンク１５内に貯留された洗浄水に混入させるための液状の洗剤を貯留した洗剤タンク３９が配置されている。この洗浄タンク３９内の洗剤は、洗剤吸込管４１、洗剤供給ポンプ４２及び洗剤吐出管４３を介して、洗浄室７内から洗浄水タンク１５内の洗浄水に向けて滴下される。
【００２２】
次に、食器洗浄機１の動作について、図２を参照して説明する。図２は、洗浄ポンプ２３及び濯ぎポンプ３４の運転状態を示すタイミングチャートである。これら洗浄ポンプ２３及び濯ぎポンプ３４は、マイクロコンピュータ４により制御される。なお、以下の時間や流量等に関する具体的数値は、説明の明瞭化のために便宜的に示すものであり、一例に過ぎない（実施例２〜実施例３においても同様）。
【００２３】
まず、運転開始ボタンがＯＮにされると洗浄工程が行われる。つまり、洗浄ポンプ２３の運転Ｗが開始され、これにより、洗浄水タンク１５内に貯留されていた洗浄水が、洗浄水吐出管２４等を介して上下の洗浄ノズル９，１２に圧送されて、各洗浄ノズル９，１２から食器類Ｐに向けて洗浄水が噴射される。このとき、各洗浄ノズル９，１２は洗浄水の噴射反力によって回転するため、洗浄水が食器類Ｐに満遍なく当てられて、食器類Ｐの汚れが効率良く洗い落とされる。この食器類Ｐに噴射された洗浄水は、食器類Ｐから洗い落とされた残菜などの汚損物が第１のフィルタ１４によって取り除かれつつ洗浄水タンク１５内に回収される。更に、第２のフィルタ１８によって細かい汚損物が取り除かれて、洗浄ポンプ２３により循環供給される。そして、洗浄ポンプ２３の運転Ｗが３８秒間行われると当該運転Ｗが終了され、洗浄工程が終了となる。
【００２４】
この洗浄工程においては、洗浄ポンプ２３の運転Ｗに同期して濯ぎポンプ３４の第１の運転Ｒ１が行われる。すなわち、洗浄ポンプ２３の運転Ｗの開始と同時に第１の運転Ｒ１が開始され、洗浄ポンプ２３の運転の終了と同時に第１の運転Ｒ１が終了される。この濯ぎポンプ３４の第１の運転Ｒ１により、上下の濯ぎノズル１１，１３から濯ぎ水が流出することになるため、各濯ぎノズル１１，１３から濯ぎ水供給路Ｂへの洗浄水の浸入が防止される。
【００２５】
そして、洗浄ポンプ２３の運転Ｗ及び濯ぎポンプ３４の第１の運転Ｒ１の終了後、５秒間の休止時間が設けられる。これは、洗剤成分や汚れを含んだ洗浄水が上側洗浄ノズル９等から落水するのを待つための時間である。仮にこの休止時間を設けないと、濯ぎ工程の初期において、濯ぎ水が洗浄水と混ざり合って食器類Ｐに噴射されてしまい、食器類Ｐの濯ぎ効果が低下してしまうことになる。
【００２６】
この５秒間の休止時間の経過後、濯ぎ工程が行われる。つまり、濯ぎポンプ３４の第２の運転Ｒ２が開始され、これにより、濯ぎ水タンク２８内に貯留されていた濯ぎ水が、濯ぎ水吐出管３６等を介して上下の濯ぎノズル１１，１３に圧送されて、各濯ぎノズル１１，１３から食器類Ｐに向けて噴射される。このとき、各濯ぎノズル１１，１３もまた、濯ぎ水の噴射反力によって回転するため、濯ぎ水が食器類Ｐに満遍なく当てられて、食器類Ｐの濯ぎが効率良く行われる。この食器類Ｐに噴射された濯ぎ水は、第１のフィルタ１４を介して洗浄水タンク１５内に回収され、次回の洗浄工程における洗浄水として利用される。そして、濯ぎポンプ３４の第２の運転Ｒ２が５秒間行われると当該第２の運転Ｒ２が終了され、濯ぎ工程が終了となる。なお、濯ぎ工程では、食器類Ｐの濯ぎと同時に食器類Ｐの加熱殺菌を行うために、高温（約８０℃）の濯ぎ水が食器類Ｐに噴射される。
【００２７】
そして、濯ぎポンプ３４の第２の運転Ｒ２の終了から５秒間経過した後、ブザーが鳴らされて食器洗浄機１の１サイクルの動作が完了となる。第２の運転Ｒ２の終了後に５秒間の休止時間を設けるのは、高温の濯ぎ水が上側濯ぎノズル１１等から落水するのを待つためであり、これにより、食器類Ｐを取り出すために洗浄室７のドアを開けた際のユーザの安全性を向上させることができる。
【００２８】
以上のように、実施例１の食器洗浄機１においては、洗浄工程中に濯ぎポンプ３４の第１の運転Ｒ１が行われ、上下の濯ぎノズル１１，１３に濯ぎ水が供給される。この濯ぎ水の供給により、従来のように逆止弁を設けなくても、洗浄工程中において各濯ぎノズル１１，１３から濯ぎ水供給路Ｂに洗浄水が浸入するのを防止することができる。従って、濯ぎ工程の際（すなわち、濯ぎポンプ３４の第２の運転Ｒ２の際）には、洗剤成分や汚れを殆ど含まない濯ぎ水が最初から噴射されることになるため、効率良く食器類Ｐの濯ぎを行うことが可能になる。
【００２９】
なお、このような動作をする食器洗浄機１は、次のような場合に極めて有効となる。すなわち、洗浄工程中に上側洗浄ノズル９や洗浄室７内の上面に付着した洗浄水を濯ぎ工程において洗い流すために、上側濯ぎノズル１１から上下両方向に向けて濯ぎ水が噴射される場合である。このような上側濯ぎノズル１１には、上側洗浄ノズル９側に開口する噴射孔が設けられているため、洗浄工程中に上側濯ぎノズル１１から洗浄水が浸入し易い。従って、洗浄工程中に上側濯ぎノズル１１から洗浄水が浸入するのを防止するという観点で、上述したような動作をする食器洗浄機１が極めて有効となるのである。
【００３０】
また、洗浄工程においては、洗浄ポンプ２３の運転Ｗと濯ぎポンプ３４の第１の運転Ｒ１とが同期して行われるため、上下の濯ぎノズル１１，１３から濯ぎ水供給路Ｂへの洗浄水の浸入を確実に防止することができる。しかも、マイクロコンピュータ４における制御の容易化を図ることができる。
【００３１】
更に、洗浄効果が最大限に発揮されるよう、洗浄水は、洗浄水タンク１５内の洗浄水ヒータ１６により約６０℃に保温されるが、濯ぎポンプ３４に第１の運転Ｒ１をさせることで、洗浄工程中に約８０℃の濯ぎ水が洗浄水タンク１５内に流入することになるため、洗浄水ヒータ１６による電力消費量の低減化や、或いは洗浄水ヒータ１６の小型化を図ることが可能になる。
【００３２】
ここで、上述した実施例１の食器洗浄機１と従来一般の食器洗浄機とを比較する。図６に示すように、従来動一般の食器洗浄機では、洗浄工程において洗浄ポンプの運転Ｗのみが３８秒間行われる。この洗浄工程の終了後５秒間休止して濯ぎ工程に入り、濯ぎポンプの運転Ｒが７秒間行われる。そして、この濯ぎ工程の終了後５秒間休止して、食器洗浄機の１サイクルの動作が完了となる。
【００３３】
このような動作をする従来一般の食器洗浄機では、洗浄工程中に濯ぎノズルから洗浄水が浸入してしまうおそれがある。そのため、例えば濯ぎ工程における最初の２秒間は、洗剤成分や汚れを含んだ濯ぎ水が噴射されることになり、濯ぎ時間が７秒間ではあっても、濯ぎ効果が最大限に発揮されているのは、後の５秒間ということになる。
【００３４】
これに対し、実施例１の食器洗浄機１では、洗剤成分や汚れを殆ど含まない濯ぎ水が最初から噴射されるため、濯ぎ効果は５秒間最大限に発揮されていることになる。従って、実施例１の食器洗浄機１は、従来一般の食器洗浄機と同様の濯ぎ効果を発揮しながらも、従来一般の食器洗浄機と比べ、濯ぎ時間が２秒間短い分だけ１サイクルの動作に要する時間の短縮化を実現することができる。
【００３５】
更に、実施例１の食器洗浄機１及び従来一般の食器洗浄機の両機が、濯ぎ工程において毎秒０．５リットルの濯ぎ水を噴射するとすると、実施例１の食器洗浄機１では、濯ぎ時間が２秒間短縮化される分、１リットルの節水となる。そこで、第１の運転Ｒ１における濯ぎポンプ３４の吐出圧力が第２の運転Ｒ２における濯ぎポンプ３４の吐出圧力に比べ低くなるように（すなわち、第１の運転Ｒ１における濯ぎポンプ３４の吐出量が第２の運転Ｒ２における濯ぎポンプ３４の吐出量に比べ低くなるように）制御し、０．５リットルの濯ぎ水を第１の運転Ｒ１で使用するようにすれば、１サイクルの動作に要する濯ぎ水としては０．５リットルの節水となる。なお、吐出圧力の変更は、インバータ制御で濯ぎポンプ３４の回転数を変更することで行われる。
【００３６】
このように第１の運転Ｒ１における濯ぎポンプ３４の吐出圧力を低くしても、各濯ぎノズル１１，１３からの洗浄水の浸入を防止することができる。そればかりか、各濯ぎノズル１１，１３からの濯ぎ水の噴射が原因となって食器類Ｐの洗浄効果が低下するのを防止することができる。
【実施例２】
【００３７】
実施例２の食器洗浄機１は、その動作において実施例１の食器洗浄機１と異なっている。そのため、実施例２の食器洗浄機１の動作について、図３を参照して説明する。
【００３８】
まず、運転開始ボタンがＯＮにされると、実施例１と同様に洗浄工程が３８秒間行われる。この洗浄工程においては、洗浄ポンプ２３の運転Ｗの開始と同時に濯ぎポンプ３４の第１の運転Ｒ１が開始される。この第１の運転Ｒ１は、洗浄ポンプ２３の運転Ｗの終了後も継続され、トータルで４３秒間行われる。この濯ぎポンプ３４の第１の運転Ｒ１により、上下の濯ぎノズル１１，１３から濯ぎ水が流出することになるため、各濯ぎノズル１１，１３から濯ぎ水供給路Ｂへの洗浄水の浸入が防止される。
【００３９】
続いて、実施例１と同様に濯ぎ工程が５秒間行われる。つまり、濯ぎポンプ３４の第２の運転Ｒ２が開始されるが、濯ぎポンプ３４は、第１の運転Ｒ１から第２の運転Ｒ２へと連続的に移行させられる。そして、濯ぎポンプ３４の第２の運転Ｒ２の終了から５秒間経過した後、ブザーが鳴らされて食器洗浄機１の１サイクルの動作が完了となる。なお、実施例１で例示したように、第１の運転Ｒ１における濯ぎポンプ３４の吐出圧力が第２の運転Ｒ２における濯ぎポンプ３４の吐出圧力よりも低くなるように制御すれば、従来一般の食器洗浄機に比べ、食器洗浄機１の１サイクルの動作に要する濯ぎ水を節水することが可能になる。
【００４０】
以上のように、実施例２の食器洗浄機１においては、第１の運転Ｒ１と第２の運転Ｒ２とが連続的に行われるため、濯ぎポンプ３４の発停回数を減少させることができ、濯ぎポンプ３４の耐久性を向上させることができる。しかも、濯ぎポンプ３４の始動に必要な起動電流が減少するため、食器洗浄機１のランニングコストの低減を図ることができる。
【実施例３】
【００４１】
実施例３の食器洗浄機１は、その動作において実施例１の食器洗浄機１と異なっている。そのため、実施例３の食器洗浄機１の動作について、図４を参照して説明する。
【００４２】
まず、運転開始ボタンがＯＮにされると、実施例１と同様に洗浄工程が３８秒間行われる。この洗浄工程においては、洗浄ポンプ２３の運転Ｗの最後の１秒間に濯ぎポンプ３４の第１の運転Ｒ１が行われる。この濯ぎポンプ３４の第１の運転Ｒ１により、洗浄工程中に各濯ぎノズル１１，１３から濯ぎ水供給路Ｂへ浸入した洗浄水が噴射・排出されるため、結果として、各濯ぎノズル１１，１３から濯ぎ水供給路Ｂへの洗浄水の浸入が防止される。
【００４３】
そして、洗浄ポンプ２３の運転Ｗ及び濯ぎポンプ３４の第１の運転Ｒ１の終了後、５秒間の休止時間が設けられ、この休止時間に続いて、実施例１と同様に濯ぎ工程が５秒間行われる。つまり、濯ぎポンプ３４の第２の運転Ｒ２が５秒間行われる。この濯ぎポンプ３４の第２の運転Ｒ２の終了から５秒間経過した後、ブザーが鳴らされて食器洗浄機１の１サイクルの動作が完了となる。
【００４４】
なお、濯ぎポンプ３４の第１の運転Ｒ１の終了のタイミングは、洗浄ポンプ２３の運転Ｗの終了と同時に限定されない。例えば、洗浄ポンプ２３の運転Ｗ後の休止時間に入ってからであっても、各濯ぎノズル１１，１３から濯ぎ水供給路Ｂへの洗浄水の浸入が防止される。また、濯ぎポンプ３４の第１の運転Ｒ１は、洗浄ポンプ２３の運転Ｗの最後の１秒間に限定されず、洗浄ポンプ２３の運転Ｗの終了時前に開始され、洗浄ポンプ２３の運転Ｗの終了時以降に終了されるものであればよい。
【００４５】
以上のように、実施例３の食器洗浄機１においては、濯ぎ工程中に高温の濯ぎ水によって食器類Ｐの濯ぎと同時に食器類Ｐの加熱殺菌を行うが、洗浄ポンプ２３の運転Ｗの終了時以降に濯ぎポンプ３４の第１の運転Ｒ１を終了させるため、濯ぎポンプ３４の第２の運転Ｒ２前における食器類Ｐの予備加熱を効果的に実施することができる。従って、第２の運転Ｒ２時における食器類Ｐの殺菌効果の向上を図ることができる。
【００４６】
また、食器洗浄機１が１サイクルの動作後、所定時間以上運転されなかった場合、濯ぎ水供給路Ｂ内に残留した濯ぎ水（以下、「残留水」という）の温度が下がるため、仮にそのまま濯ぎ工程に入ると、当該残留水が噴射されている間は濯ぎ効果が低下してしまう。ところが、食器洗浄機１が１サイクルの動作後、連続運転されずに暫らくの間休止状態に入り、濯ぎ水供給路Ｂ内の残留水の温度が低下してしまったような場合にも、食器洗浄機１では、濯ぎポンプ３４の第１の運転Ｒ１により当該残留水を排出することが可能である。従って、濯ぎポンプ３４の第２の運転Ｒ２の際には、最初から高温の濯ぎ水を食器類Ｐに噴射させることが可能になり、食器類Ｐの殺菌効果の向上を図ることができる。以上説明した予備加熱と残留水の排出とによる食器類Ｐの殺菌効果の向上という効果は、上述した実施例１及び実施例２、並びに後述する実施例４においても同様に奏される。なお、食器洗浄機１が１サイクルの動作後、所定時間以上運転されなかった場合に、第１の運転Ｒ１における濯ぎポンプ３４の総吐出量と濯ぎ水供給路Ｂ内の容積とが同じになるように制御変更し、第１の運転Ｒ１における濯ぎポンプ３４の吐出圧力を、食器類Ｐに噴射水が届かない程度に低くすることで、洗浄工程中の洗浄に影響を与えずに、洗浄工程中に濯ぎ水供給路Ｂ内の残留水を排出し切ることが可能になる。
【実施例４】
【００４７】
実施例４の食器洗浄機１は、その動作において実施例１の食器洗浄機１と異なっている。そのため、実施例４の食器洗浄機１の動作について、図５を参照して説明する。
【００４８】
まず、運転開始ボタンがＯＮにされると、実施例１と同様に洗浄工程が３８秒間行われる。この洗浄工程では、洗浄ポンプ２３の運転Ｗの途中と最後とにおいて、それぞれ０．５秒間ずつ間欠的に濯ぎポンプ３４の第１の運転Ｒ１が行われる。このような間欠的な濯ぎポンプ３４の第１の運転Ｒ１により、洗浄工程中に各濯ぎノズル１１，１３から浸入した洗浄水が濯ぎ水供給路Ｂの奥に入り込んでいくのが防止されて、浸入した洗浄水がより一層確実に噴射・排出されるため、結果として、各濯ぎノズル１１，１３から濯ぎ水供給路Ｂへの洗浄水の浸入が防止される。
【００４９】
そして、洗浄ポンプ２３の運転Ｗ及び濯ぎポンプ３４の第１の運転Ｒ１の終了後、５秒間の休止時間が設けられ、この休止時間に続いて、実施例１と同様に濯ぎ工程が５秒間行われる。つまり、濯ぎポンプ３４の第２の運転Ｒ２が５秒間行われる。この濯ぎポンプ３４の第２の運転Ｒ２の終了から５秒間経過した後、ブザーが鳴らされて食器洗浄機１の１サイクルの動作が完了となる。
【００５０】
なお、濯ぎポンプ３４の第１の運転Ｒ１の終了のタイミングは、実施例３と同様に、洗浄ポンプ２３の運転Ｗの終了と同時に限定されない。例えば、洗浄ポンプ２３の運転Ｗ後の休止時間に入ってからであっても、各濯ぎノズル１１，１３から濯ぎ水供給路Ｂへの洗浄水の浸入が防止される。また、濯ぎポンプ３４の間欠的な第１の運転Ｒ１は、２回に限定されず、３回以上であってもよい。
【００５１】
以上のように、実施例４の食器洗浄機１においては、間欠的な濯ぎポンプ３４の第１の運転Ｒ１により、各濯ぎノズル１１，１３から濯ぎ水供給路Ｂへの洗浄水の浸入を防止しつつ、濯ぎポンプ３４のトータルの運転時間を減少させて節水や電力消費量の低減を図ることができる。
【図面の簡単な説明】
【００５２】
【図１】本発明に係る食器洗浄機の一実施形態を示す断面図である。
【図２】実施例１の食器洗浄機における洗浄ポンプ及び濯ぎポンプの運転状態を示すタイミングチャートである。
【図３】実施例２の食器洗浄機における洗浄ポンプ及び濯ぎポンプの運転状態を示すタイミングチャートである。
【図４】実施例３の食器洗浄機における洗浄ポンプ及び濯ぎポンプの運転状態を示すタイミングチャートである。
【図５】実施例４の食器洗浄機における洗浄ポンプ及び濯ぎポンプの運転状態を示すタイミングチャートである。
【図６】従来一般の食器洗浄機における洗浄ポンプ及び濯ぎポンプの運転状態を示すタイミングチャートである。
【符号の説明】
【００５３】
１…食器洗浄機、４…マイクロコンピュータ（制御部）、７…洗浄室、９…上側洗浄ノズル（洗浄ノズル）、１１…上側濯ぎノズル（濯ぎノズル）、１２…下側洗浄ノズル（洗浄ノズル）、１３…下側濯ぎノズル（濯ぎノズル）、２３…洗浄ポンプ、３４…濯ぎポンプ、Ｐ…食器類。
【図１】
2005040439.tif 000003
【図２】
2005040439.tif 000004
【図３】
2005040439.tif 000005
【図４】
2005040439.tif 000006
【図５】
2005040439.tif 000007
【図６】
2005040439.tif 000008